(57)【要約】【課題】位置検出機能を備えた無線ＬＡＮシステムの基地局に必要なメモリ容量を低減する。【解決手段】受信信号メモリ制御部１２０は、受信信号メモリ１０２を順次上書きしてメモリ空間を再利用するようにアクセスを制御する。また受信信号メモリ制御部１２０は、パケット検出手段１２１からのパケット検出信号により受信信号のキャプチャを停止する。【選択図】  図１
2004328176.tif 000002
【特許請求の範囲】
【請求項１】
端末から送信される無線パケット信号の受信時刻を用いて端末の位置測定を行う位置測定システムにおける基地局装置であって、無線信号を受信して受信信号を作成する信号受信部と、前記受信信号を蓄積する受信信号メモリと、前記作成された受信信号に含まれるパケットを検出するパケット検出部と、前記信号受信部から前記受信信号メモリへの受信信号の書き込みの制御と前記受信信号メモリからの受信信号の読み出し制御とを行う受信信号メモリ制御部と、前記受信信号と基地局装置における時刻を関連づける時計部とを備え、
前記受信信号メモリ制御部は、前記受信信号メモリの第一のアドレスから順に受信信号を書き込み、前記受信信号メモリの第二のアドレスに受信信号を書き込んだ後は、再び前記第一のアドレスから順に受信信号を書き込み、前記パケット検出部による前記受信信号に含まれるパケットの検出に応答して前記受信信号メモリへの書き込みを停止するように制御を行い、
前記受信時刻は、前記読み出された受信信号と前期基地局装置における時刻とを用いて求められることを特徴とする基地局装置。
【請求項２】
請求項１に記載の基地局装置において、前記パケット検出部は受信信号に含まれるパケットの先頭を検出し、パケット検出信号を発生することを特徴とする基地局装置。
【請求項３】
請求項２に記載の基地局装置において、前記受信信号メモリ制御は、前記パケット検出部からのパケット検出信号が届いた時の受信信号を前記受信信号メモリの第三のアドレスに書き込み、更に受信信号の書き込みを続け、前記第三のアドレスの一つ前のアドレスまで受信信号の書き込みを続けた後、前記信号受信部から前記受信信号メモリへの受信信号の書き込みを停止する制御を行うことを特徴とする基地局装置。
【請求項４】
請求項１に記載の基地局装置において、前記パケット検出部は受信信号に含まれるパケットの最後尾を検出し、パケット検出信号を発生することを特徴とする基地局装置。
【請求項５】
請求項４に記載の基地局装置において、前記受信信号メモリ制御は、前記パケット検出部からのパケット検出信号が届いた時の受信信号を前記受信信号メモリに書き込んだ後、前記信号受信部から前記受信信号メモリへの受信信号の書き込みを停止する制御を行うことを特徴とする基地局装置。
【請求項６】
請求項１に記載の基地局装置において、前記パケット検出部は受信信号に含まれるパケットを当該パケットの途中で検出し、パケット検出信号を発生することを特徴とする基地局装置。
【請求項７】
請求項６に記載の基地局装置において、前記受信信号メモリ制御は、前記パケット検出部からのパケット検出信号が届いた時の受信信号を前記受信信号メモリに書き込み、更に予め定められた長さの受信信号の書き込みを続けた後、前記信号受信部から前記受信信号メモリへの受信信号の書き込みを停止する制御を行うことを特徴とする基地局装置。
【請求項８】
請求項１記載の基地局装置であって、前記受信信号メモリ制御部は、前記書き込みを停止したアドレスに基づいて、前記受信信号メモリからの読み出しの起点または終点、またはその両方のアドレスを定めることを特徴とする基地局装置。
【請求項９】
請求項１記載の基地局装置であって、前記読み出された受信信号と前期基地局装置における時刻を、複数の基地局装置と接続され、前記受信時刻の検出及び前記端末の位置計算を行うサーバ装置に送信することを特徴とする基地局装置。
【請求項１０】
請求項１記載の基地局装置であって、前記受信時刻の検出を行い、前記検出された受信時刻を、複数の基地局装置と接続され前記端末の位置計算を行うサーバ装置に送信することを特徴とする基地局装置。
【請求項１１】
請求項１記載の基地局装置であって、前記受信信号メモリは前記パケット信号のサイズの２倍以下の容量を前記パケット信号の蓄積に用いることを特徴とする基地局装置。
【請求項１２】
無線端末から送信されるパケット信号の無線基地局における受信時刻を用いて該無線端末の位置を測定する無線端末測位方法であって、
受信信号を保持するメモリを有する上記無線基地局において、上記メモリの第１のアドレスから順に上記受信信号を逐次書き込み、第２のアドレスまで上記受信信号の書き込みを行ったときには上記第１のアドレスに戻って上記受信信号の書き込みを続け、上記受信信号中に上記無線端末から送信されるパケット信号が検出された場合には該検出のタイミングに基づいて定められる第３のアドレスで上記受信信号の書き込みを停止し、上記検出のタイミングに基づいて定められる第４のアドレスから上記書き込まれた受信信号を読み出し、
該読み出された受信信号から上記パケット信号を抽出してその受信時刻を測定し、
該受信時刻を用いて上記無線端末の位置を計算する無線端末測位方法。
【請求項１３】
請求項１２記載の無線端末測位方法であって、
上記パケット信号の検出は上記受信信号の受信電力に基づいて行うことを特徴とする無線端末測位方法。
【請求項１４】
請求項１３記載の無線端末測位方法であって、
上記パケット信号の検出は、所定の期間にわたる上記受信電力の測定結果に基づいて行うことを特徴とする無線端末測位方法。
【請求項１５】
請求項１２記載の無線端末測位方法であって、
上記パケット信号の検出は該パケット信号の受信の開始または該パケット信号の受信の終了を検出するものであることを特徴とする無線端末測位方法。
【請求項１６】
請求項１２記載の無線端末測位方法であって、
上記パケット信号の検出は、上記受信信号の受信電力に基づいて行われることを特徴とする無線端末測位方法。
【発明の詳細な説明】
【０００１】
【発明の属する技術分野】
本発明は無線信号を用いて移動端末の現在位置を測定するための基地局装置に関する。
【０００２】
【従来の技術】
無線ＬＡＮシステムの信号を用いて端末の現在位置を測定する方法としては、例えば同出願人が先に出願した特願２００２−２６０７７２に開示される方法がある。以下では特願２００２−２６０７７２における無線ＬＡＮ基地局の構成と動作について説明する。
【０００３】
図９は端末の位置測定機能を備える無線ＬＡＮシステムの構成の一例を示す。複数の基地局（図９では例として３つの基地局１、２、３とする）は、公衆網や移動通信網から構成されるネットワーク５を介して、サーバ６と接続されている。端末４はこれらの基地局を介して、サーバ６と情報のやり取りを行う。
【０００４】
図９のシステムで端末４の位置を測定する場合のフローを以下で述べる。端末４が無線信号を送信する。基地局１〜３は前記無線信号を受信し、端末の位置測定に必要な信号処理を実施する。更に各基地局１〜３は、それぞれが実施した前記信号処理の結果をネットワーク５を介してサーバ６に通知する。最後にサーバ６は各基地局から伝達された前記信号処理結果を用いて、端末４の位置を算出する。
【０００５】
上記フローを実現するための従来の基地局の構成を図１０に示す。信号受信部１０１は、アンテナ１００で受信された無線信号に対応した高／中間周波数での受信処理、ベースバンド信号の復調処理、及びＡＤ（Ａｎａｌｏｇ  ｔｏ  Ｄｉｇｉｔａｌ）変換を行い受信信号を作成する。
【０００６】
受信信号メモリ制御部１０６は、位置計算信号処理部１０３から信号線１０４を介して通知されるキャプチャ開始指示に従い、前記信号受信部１０１で作成された受信信号を受信信号メモリ１０２に格納するためのアクセス制御を行う。また受信信号メモリ制御部１０６は、前記受信信号を受信信号メモリ１０２に格納し始めた際に、時計１０７が示していた時刻をキャプチャ開始時刻として保持する。ここで時計１０７は、例えば基地局装置内で使用されるクロック信号を用いたカウンタで構成する。
【０００７】
従来の基地局で実施されていた受信信号メモリ制御部１０６のアクセス制御方法を図１１及び図１２を用いて説明する。図１１の時刻Ｔｐ０で受信信号の格納が開始されるとする。この場合、受信信号メモリ制御部１０６は、まず時刻Ｔｐ０をキャプチャ開始時刻として蓄積する。また図１２に示すように、時刻Ｔｐ０の受信信号を受信信号メモリ１０２のアドレスＡｐ０番地に格納する。ここでＡｐ０番地は予め定められたアドレスでも良いし、位置計算信号処理部１０３からのキャプチャ開始指示の際に、位置計算信号処理部１０３から指定しても良い。その後、受信信号メモリ制御部１０６は図１２に示すように、受信信号メモリ１０２のアドレスＡｐ０＋１番地、Ａｐ０＋２番地．．．の順に受信信号を格納するようにアクセス制御を実施する。受信信号メモリ１０２のアドレスＡｐ１番地まで受信信号が格納されると、受信信号メモリ制御部１０６は、受信信号の受信信号メモリ１０２への蓄積を終了する。なお、アドレスＡｐ１番地は予め定められたアドレスでも良いし、位置計算信号処理部１０３からのキャプチャ開始指示の際に、位置計算信号処理部１０３から指定しても良い。
【０００８】
受信信号メモリ１０２への受信信号の格納が終了すると、受信信号メモリ制御部１０６は、受信信号のキャプチャ終了報告とキャプチャ開始時刻を、信号線１０５を介して、位置計算信号処理部１０３へ通知する。
【０００９】
位置計算信号処理部１０３は、前記キャプチャ終了報告を受た後、受信信号メモリに格納された受信信号と、前記キャプチャ開始時刻を用いて、移動端末の位置計算に必要な信号処理を実施し、結果を図９のサーバ６へ通知する。ここで位置計算に必要な信号処理としては、端末からの受信信号の受信時刻の算出あるいは、受信時刻算出のための遅延プロファイル計算等がある。ここで、遅延プロファイルの計算には例えばマッチトフィルタを用いれば良い。また、得られた遅延プロファイルから受信信号の受信時刻を算出すためには、例えば特開２００２−１４１５２で開示された方法を用いればよい。また、受信信号メモリ１０２に蓄積された受信信号に対して特に処理を実施せず、蓄積された受信信号をそのままサーバ６へ通知しても良い。
【００１０】
サーバ６は各基地局から通知された信号処理結果を用いて、例えば特願２００２−２６０７７２に記載の三辺測量の手法を利用して、端末位置を算出する。
【００１１】
【発明が解決しようとする課題】
無線ＬＡＮシステムはパケット通信システムであるため、パケット信号はある時間帯に局所的に存在し、その他の時間帯にはパケット信号は存在しない。従って従来の技術に記載の基地局では、端末４が位置測定のために送信したパケット信号を受信信号メモリ１０２に蓄積できない場合がある。例えば図１３の場合、基地局は時刻Ｔｐ２〜Ｔｐ３の間の受信信号を受信信号メモリ１０２に格納する。しかし端末が送信したパケット信号２００は時刻Ｔｐ４〜Ｔｐ５の間に存在する。よってこの場合、受信信号メモリ１０２にはパケット信号２００を含む受信信号を格納することができない。一般にパケット通信では通信路のトラフィック量の増減などにより、遅延時間の変動が大きくなる。従って、パケットの遅延時間が大きくなる場合も頻繁に存在し、このような場合に図１３の事例が発生する。この場合、当該基地局は端末の位置測定に有用な情報をサーバ６に通知することができない。その結果サーバ６で実施される端末の位置計算の精度が劣化する。
【００１２】
上記の問題を回避するために、上記パケットの遅延時間の変動を吸収できる程度の長い時間の受信信号を受信信号メモリ１０２に格納する方法も考えられる。例えば図１４のように、パケットの遅延時間の変動を十分にカバーする期間（時刻Ｔｐ６〜Ｔｐ７）の受信信号をキャプチャすることにより、端末が位置測定のために送信したパケット信号２００（時刻Ｔｐ８〜Ｔｐ９に存在）を受信信号メモリ１０２に格納することができる。図１５はこの場合に受信信号メモリ１０２に蓄積された受信信号の内訳を示す。受信信号メモリ１０２に蓄積された受信信号のうち、パケット信号２００はアドレスＡｐ８番地〜Ａｐ９番地のメモリ空間にのみ存在し、その他のメモリ空間（アドレスＡｐ６番地〜Ａｐ８−１番地及びＡｐ９＋１番地〜Ａｐ７番地）には雑音信号しか存在しない。端末の位置測定に使用できる信号はパケット信号２００のみであるため、その他の雑音信号が蓄積されたメモリ空間は端末の位置測定に寄与できない。従ってこの場合、受信信号メモリ１０２の使用効率が劣化する。これにより、基地局が必要とするメモリ量が増大する。このため、基地局コストの増大、更には無線ＬＡＮシステムにおける位置情報サービスのコストの増大を招き、位置情報サービスの利便性が低下する。
【００１３】
【課題を解決するための手段】
上記の課題を解決するために本発明の基地局では、受信信号メモリ制御部は、受信信号メモリを順次上書きしてメモリ空間を再利用するようにアクセスを制御する。更に受信信号メモリ制御部は、パケット検出手段からのパケット検出信号により受信信号のキャプチャを停止する。
【００１４】
【発明の実施の形態】
本発明を適用した基地局の構成を図１に示す。図１０に示した従来の基地局の構成と同一の構成要素には同一の符号を付してある。しかしながら、本発明において信号の受信機が基地局であることは本質的ではなく、下り回線の無線信号の受信時刻を利用するために端末装置が以下の特徴を具備するものであってもよい。信号受信部１０１は、アンテナ１００で受信された無線信号に対応した高／中間周波数での受信処理、ベースバンド信号の復調処理、及びＡＤ（Ａｎａｌｏｇ  ｔｏ  Ｄｉｇｉｔａｌ）変換を行い受信信号を作成する。
【００１５】
受信信号メモリ制御部１２０は、位置計算信号処理部１０３から信号線１０４を介して通知されるキャプチャ開始指示に従い、前記信号受信部１０１で作成された受信信号の受信信号メモリ１０２へのキャプチャを開始する。受信信号メモリ制御部１２０による受信信号メモリ１０２への受信信号の書き込み方法を図２に示す。まず受信信号メモリ制御部１２０は、書き込み先頭アドレスＡ０番地からアドレスＡＮ−１番地まで順に受信信号を書き込む。アドレスＡＮ−１番地まで受信信号の書き込みが終わると、受信信号メモリ制御部１２０は、次の受信信号がアドレスＡ０番地に書き込まれるように受信信号メモリ１２０のアクセス制御を実施する。受信信号メモリ制御部１２０は上記の動作を繰返し、図２のように受信信号がアドレスＡ０番地からアドレスＡＮ−１番地の間に繰返し書き込まれるように、受信信号メモリ１０２のアクセス制御を実施する。
【００１６】
受信信号メモリ制御部１２０は、パケット検出部１２１からのパケット検出信号を受け、受信信号の受信信号メモリ１０２へのキャプチャを停止する。この方法により、キャプチャを行う時間の長さに関わらず、少ないメモリ容量で効率よくパケットを蓄積することができる。メモリ容量がパケット１つ相当以上、あるいはパケットの受信時刻を求めるために必要な信号長さ相当以上あれば、本発明の方法でパケット通信による位置検出を実施することができる。パケット検出処理に必要な時間やマージンを考慮するとしても、パケットの容量の２倍程度の容量があればよい。
【００１７】
パケット検出部１２１と受信信号メモリ制御部１２０による受信信号キャプチャ停止方法の第一例を図３と図４に示す。図３のように、パケット検出部１２１は時刻ＴＳに基地局に到着したパケット信号２０１の先頭を検出し、受信信号メモリ１２０へパケット先頭検出を通知する。パケット信号の先頭の検出方法としては、例えば受信電力が急激に増加し閾値を越えるか否かの判定を行い、閾値を越えた場合にパケット信号の先頭を検出したと判定すればよい。また、別な方法として、例えばマッチトフィルタ等を用いて受信信号と予め定められたプリアンブルパターンの相関値演算を行い、パケット信号の先頭に付加されているプリアンブルを検出しても良い。受信信号メモリ制御部１２０は、パケット検出部１２１からのパケット先頭検出の通知を受けた後、受信信号のキャプチャを停止する。この動作を図４を用いて説明する。ここで、パケット検出部１２１によって検出されたパケット２０１の先頭（時刻ＴＳ）の受信信号は、図４の受信信号メモリ１０２のアドレスＡＳ番地に書き込まれたとする。受信信号メモリ制御部１２０は、パケット先頭検出の通知を受けた後、図２のアクセス制御方法に従ってアドレスＡＳ−１番地まで受信信号の書き込みを実施し、受信信号のキャプチャを終了する。また、受信信号メモリ制御部１２０は、パケット検出部１２１からのパケット先頭検出の通知の受けた時点での受信信号の書き込みアドレスＡＳをパケット先頭アドレスとして記録する。更に受信信号メモリ制御部１２０は、パケット検出部１２１からのパケット先頭検出の通知の受けた時点で時計１０７が示していた時刻ＴＳをパケット先頭時刻として記録する。また、受信信号メモリ制御部１２０は、時刻ＴＳを記録する代わりに、受信信号のキャプチャを開始した時点で時計１０７が示していた時刻と、キャプチャ開始からキャプチャ停止までの間にアドレスＡ０番地に受信信号が書き込まれた回数をカウントしたカウント値を記録しても良い。
【００１８】
パケット検出部１２１と受信信号メモリ制御部１２０による受信信号キャプチャ停止方法の第二例を図５と図６に示す。図５のように、パケット検出部１２１は基地局に到着したパケット信号２０２の最後尾（時刻ＴＥ）を検出し、受信信号メモリ１２０へパケット最後尾検出を通知する。パケット信号の最後尾の検出方法としては、例えば受信電力が急激に減少し閾値を下回るか否かの判定を行い、閾値を下回った場合にパケット信号の最後尾を検出したと判定すればよい。受信信号メモリ制御部１２０は、パケット検出部１２１からのパケット最後尾検出の通知を受けた後、受信信号のキャプチャを停止する。この動作を図６を用いて説明する。受信信号メモリ制御部１２０は、パケット検出部１２１によって検出されたパケット２０２の最後尾（時刻ＴＥ）の受信信号を図６の受信信号メモリ１０２のアドレスＡＥ番地に書き込んだ後、直ちに受信信号のキャプチャを終了する。また、受信信号メモリ制御部１２０は、パケット検出部１２１からのパケット最後尾検出の通知の受けた時点での受信信号の書き込みアドレスＡＥをパケット最後尾アドレスとして記録する。更に受信信号メモリ制御部１２０は、パケット検出部１２１からのパケット最後尾検出の通知の受けた時点で時計１０７が示していた時刻ＴＥをパケット最後尾時刻として記録する。また、受信信号メモリ制御部１２０は、時刻ＴＥを記録する代わりに、受信信号のキャプチャを開始した時点で時計１０７が示していた時刻と、キャプチャ開始からキャプチャ停止までの間にアドレスＡ０番地に受信信号が書き込まれた回数をカウントしたカウント値を記録しても良い。
【００１９】
パケット検出部１２１と受信信号メモリ制御部１２０による受信信号キャプチャ停止方法の第三例を図７と図８に示す。図７のように、パケット検出部１２１は基地局に到着したパケット信号２０３をその途中（時刻ＴＰ）で検出し、受信信号メモリ１２０へパケット検出を通知する。パケット信号の途中の検出方法としては、例えば受信電力を一定期間モニタし、その期間の受信電力の平均値が閾値を越えるか否かの判定を行い、閾値を越えた場合にパケット信号を検出したと判定すればよい。受信信号メモリ制御部１２０は、パケット検出部１２１からのパケット検出の通知を受けた後、受信信号のキャプチャを停止する。この動作を図８を用いて説明する。ここで、パケット検出部１２１によってパケット２０３が検出された時点（時刻ＴＰ）の受信信号は、図８の受信信号メモリ１０２のアドレスＡＰ番地に書き込まれたとする。受信信号メモリ制御部１２０は、パケット検出の通知を受けた後、図２のアクセス制御方法に従って、更にアドレスＬ番地分の受信信号の書き込みを実施し、受信信号のキャプチャを終了する。従って、書き込みの最終アドレスはｍｏｄ（ＡＰ＋Ｌ，  Ｎ）となる。ここで、ｍｏｄ（Ｘ，  Ｙ）はＸをＹで割った剰余を表し、ＮはアドレスＡ０番地からＡＮ−１番地までに存在するアドレス数を表す。また、Ｌは予め定めた値としても良いし、位置計算信号処理部１０３から通知されるキャプチャ開始指示に含んでおいても良い。また、受信信号メモリ制御部１２０は、パケット検出部１２１からのパケット検出の通知の受けた時点での受信信号の書き込みアドレスＡＰをパケット検出アドレスとして記録する。更に受信信号メモリ制御部１２０は、パケット検出部１２１からのパケット検出の通知の受けた時点で時計１０７が示していた時刻ＴＰをパケット検出時刻として記録する。あるいは受信信号メモリ制御部１２０は、受信信号のキャプチャを停止した時点でのアドレスｍｏｄ（ＡＰ＋Ｌ，  Ｎ）をキャプチャ終了アドレスとして、受信信号のキャプチャを停止した時点で時計１０７が示していた時刻ＴＣＥをキャプチャ終了時刻として記録してもよい。また、受信信号メモリ制御部１２０は、時刻ＴＰやＴＣＥを記録する代わりに、受信信号のキャプチャを開始した時点で時計１０７が示していた時刻と、キャプチャ開始からキャプチャ停止までの間にアドレスＡ０番地に受信信号が書き込まれた回数をカウントしたカウント値を記録しても良い。
【００２０】
受信信号の受信信号メモリ１０２へキャプチャが終了すると、受信信号メモリ制御部１２０は、受信信号のキャプチャ終了報告、上記キャプチャ停止方法の中で記録した時計１０７の時刻及び、受信信号メモリ１０２のアドレスを信号線１０５を介して、位置計算信号処理部１０３へ通知する。
【００２１】
位置計算信号処理部１０３は前記キャプチャ終了報告を受けた後、前記キャプチャ停止方法に応じた方法を用いて、受信信号メモリ１０２に蓄積された受信信号を時間的に古いものから順に読み出す。
【００２２】
具体的には、キャプチャ停止方法として前記第一例を用いた場合、位置計算信号処理部１０３は、受信信号メモリ制御部からキャプチャ終了報告時に通知されるパケット先頭アドレスＡＳ番地から、図２のアクセス制御方法に従ってＡＳ−１番地までを読み出す。
【００２３】
キャプチャ停止方法として前記第二例を用いた場合、位置計算信号処理部１０３は、受信信号メモリ制御部からキャプチャ終了報告時に通知されるパケット最後尾アドレスＡＥ番地の次のアドレス、すなわちＡＥ＋１番地、から図２のアクセス制御方法に従ってＡＥ番地までを読み出す。
【００２４】
キャプチャ停止方法として前記第三例を用いた場合、位置計算信号処理部１０３は、まず受信信号メモリ制御部からキャプチャ終了報告時に通知されるパケット検出アドレスＡＰ番地からキャプチャ終了時の書き込みアドレスｍｏｄ（ＡＰ＋Ｌ，  Ｎ）を求める。あるいは前記第三例でキャプチャ終了アドレスｍｏｄ（ＡＰ＋Ｌ，  Ｎ）が通知された場合は、当該アドレスをそのままキャプチャ終了時の書き込みアドレスとして用いればよい。その後、位置計算信号処理部１０３はキャプチャ終了時の書き込みアドレスの次のアドレス、すなわちｍｏｄ（ＡＰ＋Ｌ，  Ｎ）＋１番地、から図２のアクセス制御方法に従ってｍｏｄ（ＡＰ＋Ｌ，  Ｎ）番地までを読み出す。
【００２５】
位置計算信号処理部１０３は、上記の方法で受信信号を読み出した後、従来の基地局と同様に、移動端末の位置計算に必要な信号処理を実施し、結果を図９のサーバ６へ通知する。ただし、キャプチャ開始時刻の代わりにパケットの先頭、最後尾または受信中であることを検出した時刻を用いて各信号処理を行う。ここで位置計算に必要な信号処理としては、端末からの受信信号の受信時刻の算出あるいは、受信時刻算出のための遅延プロファイル計算等がある。ここで、遅延プロファイルの計算には、例えばマッチトフィルタを用いれば良い。また、得られた遅延プロファイルから受信信号の受信時刻を算出すためには、例えば特開２００２−１４１５２で開示された方法を用いればよい。また、受信信号メモリ１０２に蓄積された受信信号に対して特に処理を実施せず、蓄積された受信信号をそのままサーバ６へ通知しても良い。
【００２６】
サーバ６は従来の技術と同様の方法で、端末位置を算出する。
【００２７】
パケットのキャプチャの停止は、パケットを検出した時刻から所定の時間後としてもよい。例えば、上記第一例においてはパケットを検出してから１パケットを受信するために必要な時間後までキャプチャを行うとよい。また、上記第二例においては、パケット検出後、１パケットを受信するために必要な時間から受信電力の平均を求める期間を引いた時間が経過するまでキャプチャを行うとよい。
【００２８】
【発明の効果】
本発明を用いることにより、基地局に実装される受信信号キャプチャ用のメモリ容量の低減が可能となる。これにより、基地局コストの低減、更には無線ＬＡＮシステムにおける位置情報サービスのコストを低下させることができ、利便性の向上を図ることができる。
メモリ容量低減の具体的な効果は次の通りである。
【００２９】
一例として、無線ＬＡＮの規格であるＩＥＥＥ８０２．１１ｂのシステムで位置検出を行う場合を考える。ＩＥＥＥ８０２．１１ｂでは、データ量や伝送レートに応じて各パケットは０．２［ｍｓ］〜１９［ｍｓ］程度の長さを持つ。位置検出用に１［ｍｓ］程度のパケットを用いるとすると、例えばサンプリング周波数を４４［ＭＨｚ］、ビット幅を同相成分、直交成分それぞれ８［ｂｉｔ］とした場合、これはメモリ容量０．７［Ｍｂｉｔ］に対応する。
【００３０】
このパケットを使って従来の方法で位置検出を行う場合、サーバ−基地局間及び基地局−端末間の通信に要する時間、ネットワークの混み具合によるパケット遅延時間などを考慮すると、従来の基地局では受信信号キャプチャ用のメモリとして、少なくとも２００［ｍｓ］程度の区間の受信信号を蓄積するための容量が必要である。これは例えばサンプリング周波数を４４［ＭＨｚ］、ビット幅を同相成分、直交成分それぞれ８［ｂｉｔ］とすると、１４０［Ｍｂｉｔ］のメモリ容量となる。
【００３１】
一方、本発明の基地局を用いた場合、受信信号キャプチャ用のメモリとして、パケット長さの２倍、高々２［ｍｓ］程度の区間の受信信号を蓄積する容量があれば十分である。これは上記のサンプリング条件では１．４［Ｍｂｉｔ］のメモリ容量となる。パケット長さよりも余分に容量が必要となるのは、パケット検出の応答性やマージンを考慮するためである。以上より、本発明を用いることにより、基地局に必要は受信信号のキャプチャ用メモリの容量は、従来の基地局と比較して１／１００程度に低減することが可能となる。
【図面の簡単な説明】
【図１】本発明の無線ＬＡＮ基地局装置。
【図２】本発明での受信信号メモリへのアクセス方法。
【図３】キャプチャ停止方法の第一例時のパケット検出。
【図４】キャプチャ停止方法の第一例示の受信信号メモリへのアクセス方法。
【図５】キャプチャ停止方法の第一例時のパケット検出。
【図６】キャプチャ停止方法の第一例示の受信信号メモリへのアクセス方法。
【図７】キャプチャ停止方法の第一例時のパケット検出。
【図８】キャプチャ停止方法の第一例示の受信信号メモリへのアクセス方法。
【図９】端末位置の測定機能を備えた無線ＬＡＮシステムの例。
【図１０】従来の無線ＬＡＮ基地局装置。
【図１１】従来の受信信号キャプチャ方法。
【図１２】従来の受信信号メモリへのアクセス方法。
【図１３】キャプチャ区間にパケットが存在しない場合の例。
【図１４】キャプチャ区間にパケットが存在する場合の例。
【図１５】従来の基地局での受信信号メモリの使用状態。
【符号の説明】
１、２、３…基地局
４…端末
５…ネットワーク
６…サーバー
１００…アンテナ
１０１…信号受信部
１０２…受信信号メモリ
１０３…位置計算信号処理部
１０４、１０５…信号線
１０６、１２０…受信信号メモリ制御部
１０７…基地局が所有する時計
１２１…パケット検出部
２００、２０１、２０２…パケット信号。
【図１】
2004328176.tif 000003
【図２】
2004328176.tif 000004
【図３】
2004328176.tif 000005
【図４】
2004328176.tif 000006
【図５】
2004328176.tif 000007
【図６】
2004328176.tif 000008
【図７】
2004328176.tif 000009
【図８】
2004328176.tif 000010
【図９】
2004328176.tif 000011
【図１０】
2004328176.tif 000012
【図１１】
2004328176.tif 000013
【図１２】
2004328176.tif 000014
【図１３】
2004328176.tif 000015
【図１４】
2004328176.tif 000016
【図１５】
2004328176.tif 000017